(57)【要約】【課題】入出金ユニットの設置面積を小さくする。【解決手段】入出金ユニット２００は、入金された硬貨を金種別に収納し、収納した硬貨を払い出す硬貨入出金装置５００と、入金された紙幣を金種別に収納し、収納した紙幣を払い出す紙幣入出金装置６００と、を備える。紙幣入出金装置６００は、硬貨入出金装置５００の高さ方向で硬貨入出金装置５００と重ねて配置されている。【選択図】図２
2011054121.tif 000002
【特許請求の範囲】
【請求項１】
入金された硬貨を金種別に収納し、収納した硬貨を払い出す硬貨入出金装置と、
前記硬貨入出金装置の高さ方向で前記硬貨入出金装置と重ねて配置され、入金された紙幣を金種別に収納し、収納した紙幣を払い出す紙幣入出金装置と、
を備えることを特徴とする入出金ユニット。
【請求項２】
前記硬貨入出金装置及び前記紙幣入出金装置を収納したハウジングと、
前記硬貨入出金装置に設けられるとともに、前記ハウジングの高さ方向及び前記ハウジングの奥行き方向と直交する前記ハウジングの幅方向での前記ハウジングの中央部に配置されて前記ハウジングから露出し、払い出された硬貨を受ける硬貨取出部と、
前記紙幣入出金装置に設けられるとともに、前記ハウジングの前記幅方向での前記ハウジングの中央部に配置されて前記ハウジングから露出し、払い出された紙幣を受ける紙幣取出部と、
を備えることを特徴とする入出金ユニット。
【請求項３】
前記紙幣入出金装置は、前記硬貨入出金装置の上方に配置されていることを特徴とする請求項１又は２に記載の入出金ユニット。
【請求項４】
前記硬貨取出部は、前記ハウジングの奥行き方向で前記紙幣取出部の前側に位置することを特徴とする請求項２に記載の入出金ユニット。
【請求項５】
前記硬貨入出金装置による硬貨の払い出しに連動して、硬貨が払い出された旨を報知する第１の報知手段と、
前記紙幣入出金装置による紙幣の払い出しに連動して、紙幣が払い出された旨を報知する第２の報知手段と、
を備えることを特徴とする請求項１ないし４のいずれか一項に記載の入出金ユニット。
【請求項６】
硬貨が投入される硬貨投入口と、
前記ハウジングの前記幅方向で前記紙幣入出金装置と重ねて配置されるとともに前記ハウジングの高さ方向で前記硬貨入出金装置と重ねて配置されて前記硬貨入出金装置の上方に位置し、前記硬貨投入口に投入された硬貨が正貨であるか否かを判定し、正貨と判定した硬貨を前記硬貨入出金装置に入金する硬貨選別装置と、
を備えることを特徴とする請求項２に記載の入出金ユニット。
【発明の詳細な説明】
【技術分野】
【０００１】
本発明は、硬貨入出金装置と紙幣入出金装置とを備える入出金ユニットに関する。
【背景技術】
【０００２】
従来、硬貨入出金装置と紙幣入出金装置とを備えて店舗に設置され、決済装置等から受信した釣銭情報に基づいて、硬貨入出金装置や紙幣入出金装置によって釣銭を払い出す入出金ユニットがある。
【０００３】
例えば、特許文献１には、セルフチェックアウトシステムに設けられた入出金ユニットが開示されている。この入出金ユニットは、硬貨入出金装置と紙幣入出金装置とがユニット幅方向に並列配置されている。
【発明の概要】
【発明が解決しようとする課題】
【０００４】
ところで、店舗スペースを有効に使うために、入出金ユニットにおいては設置面積を極力少なくしたいという課題がある。しかしながら、特許文献１に記載の入出金ユニットは、硬貨入出金装置と紙幣入出金装置とがユニット幅方向に並列配置されているため、広い設置面積が必要となってしまう。
【０００５】
本発明は、上記に鑑みてなされたものであって、入出金ユニットの設置面積を小さくすることを目的とする。
【課題を解決するための手段】
【０００６】
上述した課題を解決し、目的を達成するために、本発明の入出金ユニットは、入金された硬貨を金種別に収納し、収納した硬貨を払い出す硬貨入出金装置と、前記硬貨入出金装置の高さ方向で前記硬貨入出金装置と重ねて配置され、入金された紙幣を金種別に収納し、収納した紙幣を払い出す紙幣入出金装置と、を備えることを特徴とする。
【発明の効果】
【０００７】
本発明によれば、入出金ユニットの設置面積を小さくすることができる。
【図面の簡単な説明】
【０００８】
【図１】図１は、本発明の一実施の形態のセルフチェックアウトシステムを示す斜視図である。
【図２】図２は、入出金ユニットの内部構成と決済装置とを示す正面図である。
【図３】図３は、入出金ユニットの内部構成と決済装置とを操作者とともに示す側面図である。
【図４】図４は、報知装置の構成を示すブロック図である。
【図５】図５は、報知装置の制御部が実行する報知処理を示すフローチャートである。
【発明を実施するための形態】
【０００９】
以下に添付図面を参照して、この発明にかかる入出金ユニットの一実施の形態を詳細に説明する。
【００１０】
図１は、本実施の形態のセルフチェックアウトシステム１０を示す斜視図である。図１に示すように、セルフチェックアウトシステム１０は、決済装置１００と、決済装置１００が載置された入出金ユニット２００と、を備えている。
【００１１】
決済装置１００は、操作ユニット１０１と、この操作ユニット１０１に接続された本体部１０２（図２参照）と、を有している。
【００１２】
操作ユニット１０１は、各種情報を表示する表示器１０３と、商品に付された商品コードを読み取るスキャナ１０４と、レシートを印字発行するプリンタ１０５と、を有する。表示器１０３の表示面上には、タッチパネル１０６が配置されている。
【００１３】
本体部１０２は、コンピュータ構成の制御部と商品マスタファイル等を格納した記憶部とを有している。商品マスタファイルは、商品を識別するための商品コードに対応付けて商品名や単価を記憶するものである。この本体部１０２は、入出金ユニット２００の後述するベースハウジング８００に収納された状態で、操作ユニット１０１の各部と接続されている。
【００１４】
このような構成の決済装置１００は、スキャナ１０４で商品コードを読み取って、読み取った商品コードに対応して設定された価格データを商品マスタファイルから読み出し、読み出した価格データに基づいて当該商品の販売記録を示す販売データを生成してこれを記憶することにより、当該商品の販売登録を行う。この際、決済装置１００は、現金を利用した決済の場合には、入出金ユニット２００から入力される入金情報に応じて釣銭金額を算出し、算出した釣銭金額の情報を含む釣銭情報を入出金ユニット２００へ送信する。
【００１５】
図２は、入出金ユニット２００の内部構成と決済装置１００とを示す正面図、図３は、入出金ユニット２００の内部構成と決済装置１００とを客Ａとともに示す側面図である。
【００１６】
図１ないし図３に示すように、入出金ユニット２００は、硬貨が投入される硬貨投入口３００と、硬貨投入口３００に投入された硬貨を選別する硬貨選別装置４００と、硬貨選別装置４００によって正貨であると選別された硬貨が入金されるとともに、釣銭として硬貨を払い出す硬貨入出金装置５００と、釣銭として紙幣を払い出す紙幣入出金装置６００と、釣銭の払い出しを報知する報知装置７００（図４参照）と、ハウジングであるベースハウジング８００と、を備えている。硬貨投入口３００、硬貨選別装置４００、硬貨入出金装置５００、紙幣入出金装置６００及び報知装置７００は、ベースハウジング８００に固定されている。ここで、図中矢印ａは、入出金ユニット２００、硬貨選別装置４００、硬貨入出金装置５００、紙幣入出金装置６００及びベースハウジング８００の高さ方向を示し、図中矢印ｂは、硬貨選別装置４００、硬貨入出金装置５００、紙幣入出金装置６００及びベースハウジング８００の幅方向を示し、図中矢印ｃは、硬貨選別装置４００、硬貨入出金装置５００、紙幣入出金装置６００及びベースハウジング８００の奥行き方向を示している。硬貨選別装置４００、硬貨入出金装置５００、紙幣入出金装置６００及びベースハウジング８００の幅方向（矢印ｂ）は、硬貨選別装置４００、硬貨入出金装置５００、紙幣入出金装置６００及びベースハウジング８００の高さ方向（矢印ａ）及びそれらの奥行き方向（矢印ｃ）と直交する方向である。
【００１７】
ベースハウジング８００は、その高さ方向に細長く形成されている。ベースハウジング８００は、当該ベースハウジング８００の幅方向で対向する一対の側壁８０１を有し、これらの一対の側壁８０１間に、硬貨選別装置４００、硬貨入出金装置５００、紙幣入出金装置６００及び報知装置７００が配置されている。また、ベースハウジング８００の上部には、硬貨投入口３００が一側部に寄せて配置されている。ベースハウジング８００の一方の側壁８０１には、買物籠が載置される籠載置台９００が連設されている。なお、この籠載置台９００は、図２及び図３では図示を省略してある。
【００１８】
硬貨選別装置４００は、硬貨投入口３００に接続され硬貨が正貨であるか否かを判定する硬貨判定部と、硬貨判定部で正貨であると判定された硬貨を正貨排出口から排出する硬貨排出部と、第１のハウジング４０１と、を有している。硬貨判定部及び硬貨排出部は、第１のハウジング４０１に収納されている。
【００１９】
硬貨判定部は、硬貨投入口３００に接続されており、硬貨投入口３００から硬貨を受け取り、受け取った硬貨を硬貨識別センサを用いて正貨であるか否かを判定する。また、硬貨排出部は、硬貨判定部によって正貨ではないと判定された硬貨を偽貨排出口から排出する。硬貨排出部の正貨排出口は、硬貨入出金装置５００の硬貨入金口に接続され、偽貨排出口は、硬貨入出金装置５００の硬貨取出部５０１に硬貨通路を介して接続されている。したがって、硬貨判定部によって正貨であると判定された硬貨は、硬貨入出金装置５００の硬貨入金口に投入される一方、硬貨判定部によって偽貨であると判定された硬貨は、硬貨入出金装置５００の硬貨取出部５０１へ排出される。このとき、硬貨は、自重によって硬貨経路を落下して硬貨入金口に投入されたり硬貨取出部５０１に排出される。なお、このような硬貨選別装置４００の各部に設けられる機構や処理等は、その内容が周知であるので詳しい説明は省略する。
【００２０】
硬貨入出金装置５００は、硬貨入金口と硬貨取出部５０１とが形成された第２のハウジング５０２を有する。この硬貨入出金装置５００は、硬貨取出部５０１が露出した状態でベースハウジング８００に収納されている。
【００２１】
第２のハウジング５０２には、硬貨入金口に入金された硬貨を金種別に選別する硬貨選別部と、硬貨選別によって選別された硬貨を金種別に収納する硬貨収納部と、硬貨収納部に収納された硬貨を硬貨取出部５０１に払い出す硬貨払出部とが収納されている。また、硬貨入出金装置５００は、入金された硬貨の枚数を計数センサを用いて計数して、入金された硬貨の合計金額である入金額を算出する硬貨入金額算出手段を有している。なお、以上の各部に設けられる機構や処理等は、その内容が周知であるので詳しい説明は省略する。
【００２２】
また、硬貨入出金装置５００は、通信インターフェースによって決済装置１００及び報知装置７００とデータ通信可能に接続されている。硬貨入出金装置５００は、算出した入金額の情報を含む入金情報を決済装置１００に送信するとともに、決済装置１００から釣銭情報を受信した場合には、その釣銭情報に基づいて硬貨を硬貨取出部５０１に払い出す。また、硬貨入出金装置５００は、硬貨の払い出しを行う際には、払出情報であって硬貨の払い出しが有る旨を示す硬貨払出情報を報知装置７００に送信する。
【００２３】
硬貨取出部５０１は、第２のハウジング５０２の前部に形成されており、ベースハウジング８００の前面から露出している。この硬貨取出部５０１は、皿状に形成されており、客Ａによる上方からの硬貨の取り出しが可能となっている。
【００２４】
紙幣入出金装置６００は、紙幣入金口６０１と紙幣取出部６０２とが形成された第３のハウジング６０３を有する。この紙幣入出金装置６００は、紙幣取出部６０２が露出した状態でベースハウジング８００に収納されている。
【００２５】
第３のハウジング６０３には、紙幣入金口６０１に入金された紙幣を金種別に選別する紙幣選別部と、紙幣選別部によって選別された紙幣を金種別に収納する紙幣収納部と、紙幣収納部に収納された紙幣を紙幣取出部６０２に払い出す払出部とが収納されている。また、紙幣入出金装置６００は、入金された紙幣の枚数を計数センサを用いて計数して、入金された紙幣の合計金額である入金額を算出する紙幣入金額算出手段を有している。以上の各部に設けられる機構や処理等は、その内容が周知であるので詳しい説明は省略する。
【００２６】
また、紙幣入出金装置６００は、通信インターフェースによって決済装置１００及び報知装置７００とデータ通信可能に接続されている。紙幣入出金装置６００は、算出した入金額の情報を含む入金情報を決済装置１００に送信するとともに、決済装置１００から釣銭情報を受信した場合には、その釣銭情報に基づいて紙幣を紙幣取出部６０２に払い出す。また、紙幣入出金装置６００は、紙幣の払い出しをする際には、払出情報であって紙幣の払い出しが有る旨を示す紙幣払出情報を報知装置７００に送信する。
【００２７】
紙幣入金口６０１及び紙幣取出部６０２は、第３のハウジング６０３の前部に形成されており、ベースハウジング８００から露出している。紙幣入金口６０１及び紙幣取出部６０２は、それぞれ上下方向に沿って細長く形成されており、相互に紙幣入出金装置６００の幅方向に並列配置されている。紙幣入金口６０１／紙幣取出部６０２は、客Ａ（図３）による前方からの紙幣の入金／取り出しが可能となっている。紙幣取出部６０２では、紙幣はその一部を紙幣取出部６０２から露出した状態となって支持される。
【００２８】
次に、入出金ユニット２００における、硬貨選別装置４００と硬貨入出金装置５００と紙幣入出金装置６００との位置関係を説明する。図２及び図３に示すように、紙幣入出金装置６００は、硬貨入出金装置５００の高さ方向で硬貨入出金装置５００と重ねて配置されている。詳細には、紙幣入出金装置６００は、硬貨入出金装置５００の上方に配置されている。また、硬貨選別装置４００は、ベースハウジング８００の幅方向で紙幣入出金装置６００と重ねて配置されるとともにベースハウジング８００の高さ方向で硬貨入出金装置５００と重ねて配置されて硬貨入出金装置５００の上方に位置している。また、硬貨入出金装置５００の硬貨取出部５０１及び紙幣入出金装置６００の紙幣取出部６０２は、ベースハウジング８００の幅方向でのベースハウジング８００の中央部８００ａに配置されてベースハウジング８００から露出している。ここで、ベースハウジング８００の幅方向でのベースハウジング８００の中央部８００ａは、本実施の形態では、ベースハウジング８００の幅方向でベースハウジング８００を３等分した内の真ん中の部分である。硬貨取出部５０１及び紙幣取出部６０２がベースハウジング８００の中央部８００ａに配置されているとは、硬貨取出部５０１及び紙幣取出部６０２の全部又は一部がベースハウジング８００の中央部８００ａに配置されている状態である。また、硬貨取出部５０１は、ベースハウジング８００の奥行き方向で紙幣取出部６０２の前側に位置している。
【００２９】
図４は、報知装置７００の構成を示すブロック図である。図４に示すように、報知装置７００は、硬貨用ＬＥＤ（Light Emitting Diode）７０１と、紙幣用ＬＥＤ７０２と、ブザー７０３と、制御部７０４と、通信インターフェース７０５と、を有している。硬貨用ＬＥＤ７０１、紙幣用ＬＥＤ７０２、ブザー７０３及び通信インターフェース７０５は、バス７０６を介して制御部７０４に接続されている。この報知装置は、硬貨入出金装置５００による硬貨の払い出しに連動して、硬貨が払い出された旨を報知する第１の報知手段、及び紙幣入出金装置６００による紙幣の払い出しに連動して、紙幣が払い出された旨を報知する第２の報知手段として機能する。
【００３０】
図１に示すように、硬貨用ＬＥＤ７０１は、硬貨入出金装置５００の硬貨取出部５０１の近傍の位置でベースハウジング８００の外面に配置されている。紙幣用ＬＥＤ７０２は、紙幣入出金装置６００の紙幣取出部６０２の近傍の位置でベースハウジング８００の外面に配置されている。
【００３１】
制御部７０４は、例えば、ＣＰＵ（Central Processing Unit）、プログラム等を記憶したＲＯＭ（Read Only Memory）、ＲＡＭ（Random Access Memory）、時を計時する計時部を有するコンピュータである。
【００３２】
この制御部７０４が実行する報知処理を説明する。ここで、図５は、報知装置７００の制御部７０４が実行する報知処理を示すフローチャートである。図５に示すように、制御部７０４は、硬貨入出金装置５００や紙幣入出金装置６００からの払出情報（硬貨払出情報、紙幣払出情報）を受信するまで待機する（ステップＳ１のＮｏ）。制御部７０４は、払出情報を受信し（ステップＳ１のＹｅｓ）、受信した払出情報が硬貨及び紙幣の両方（つまり、硬貨払出情報及び紙幣払出情報）である場合（ステップＳ２のＹｅｓ）には、ブザー７０３及び全てのＬＥＤ７０１，７０２を規定時間だけ駆動（ＯＮ）する（ステップＳ３）。これにより、規定時間の間、ブザー７０３によって警告音が発せられるとともに、硬貨用ＬＥＤ７０１及び紙幣用ＬＥＤ７０２が点灯する。
【００３３】
一方、制御部７０４は、受信した払出情報が硬貨及び紙幣の両方ではなく（ステップＳ２のＮｏ）、硬貨（つまり硬貨払出情報）だけの場合（ステップＳ４のＹｅｓ）には、ブザー７０３及び硬貨用ＬＥＤ７０１を規定時間だけ駆動（ＯＮ）する（ステップＳ５）。これにより、規定時間の間、ブザー７０３によって警告音が発せられるとともに、硬貨用ＬＥＤ７０１が点灯する。
【００３４】
また、制御部７０４は、受信した払出情報が硬貨ではなく紙幣（つまり紙幣払出情報）だけの場合（ステップＳ４のＮｏ）には、ブザー７０３及び紙幣用ＬＥＤ７０２を規定時間だけ駆動（ＯＮ）する（ステップＳ６）。これにより、規定時間の間、ブザー７０３によって警告音が発せられるとともに、紙幣用ＬＥＤ７０２が点灯する。なお、以上の処理において、ブザー７０３の警告音は、断続音(例えば、ピッ、ピッ、ピッ)から連続音的（例えば、ピー）へ変化させることが好適である。
【００３５】
このような構成のセルフチェックアウトシステム１０において、客Ａは、セルフチェックアウトシステム１０の前方に立ってセルフチェックアウトシステム１０を操作する。客Ａは、籠載置台９００に載置した買物籠の中の会計前の商品を取り出してスキャナ１０４に近接させて、スキャナに商品コードの読み取りを行わせる。そして、客Ａは、スキャナによって商品コードの読み取りがなされた商品をレジ袋に詰める。このレジ袋は、例えば入出金ユニット２００における籠載置台９００とは反対側に設置されたレジ袋支持台に支持されている。そして、客Ａは、代金として紙幣や硬貨を硬貨入出金装置５００や紙幣入出金装置６００に入金し、硬貨入出金装置５００や紙幣入出金装置６００から釣銭が払い出された場合には、硬貨取出部５０１に払い出された硬貨や紙幣取出部６０２に払い出された紙幣を受け取る。この際、報知装置７００によって釣銭有りが報知される。
【００３６】
以上説明したように、本実施の形態では、入出金ユニット２００において、紙幣入出金装置６００が、硬貨入出金装置５００の高さ方向で硬貨入出金装置５００と重ねて配置されているので、例えば紙幣入出金装置６００と硬貨入出金装置５００とが幅方向で並列配置されている場合に比べて、入出金ユニット２００の設置面積を小さくすることができる。これにより、入出金ユニット２００の店舗での設置スペースの確保が容易になる。
【００３７】
また、本実施の形態では、ハウジングであるベースハウジング８００と、硬貨入出金装置５００に設けられ、払い出された硬貨を受ける硬貨取出部５０１と、紙幣入出金装置６００に設けられ、払い出された紙幣を受ける紙幣取出部６０２と、を備える。そして、硬貨取出部５０１及び紙幣取出部６０２は、ベースハウジング８００の高さ方向及びベースハウジング８００の奥行き方向と直交するベースハウジング８００の幅方向でのベースハウジング８００の中央部８００ａに配置されてベースハウジングから露出している。したがって、入出金ユニット２００の前方に立った操作者である客Ａに対して、硬貨取出部５０１及び紙幣取出部６０２に払い出した釣銭を認識させやすいので、客Ａによる釣銭の取り忘れが発生するのを抑制することができる。これにより、釣銭の取り忘れが発生しにくくなるので、店側にとっては、遺失物処理等の処理時間を短縮することができる。
【００３８】
また、本実施の形態では、紙幣入出金装置６００は、硬貨入出金装置５００の上方に配置されている。したがって、紙幣取出部６０２に払い出した釣銭を客Ａにより一層認識させやすいので、客Ａが釣銭である紙幣を取り忘れるのをより一層抑制することができる。
【００３９】
また、本実施の形態では、硬貨取出部５０１は、ハウジングであるベースハウジング８００の奥行き方向で紙幣取出部６０２の前側に位置する。したがって、紙幣取出部に払い出された硬貨を客が容易に取り出すことができる。
【００４０】
また、本実施の形態では、入出金ユニット２００は、硬貨入出金装置５００による硬貨の払い出しに連動して、硬貨が払い出された旨を報知する第１の報知手段と、紙幣入出金装置６００による紙幣の払い出しに連動して、紙幣が払い出された旨を報知する第２の報知手段と、として報知装置７００を備える。したがって、釣銭の払い出しを客に報知することができるので、客の釣銭の取り忘れが発生するのをより一層抑制することができる。
【００４１】
また、本実施の形態では、入出金ユニット２００は、硬貨が投入される硬貨投入口３００と、硬貨投入口３００に投入された硬貨が正貨であるか否かを判定し、正貨と判定した硬貨を硬貨入出金装置５００に入金する硬貨選別装置４００と、を備える。そして、硬貨選別装置４００が、ハウジングであるベースハウジング８００の幅方向で紙幣入出金装置６００と重ねて配置されるとともにベースハウジング８００の高さ方向で硬貨入出金装置５００と重ねて配置されて硬貨入出金装置５００の上方に位置している。したがって、硬貨選別装置４００、硬貨入出金装置５００及び紙幣入出金装置６００が集約配置されているので、それらが分散配置されている場合に比べて、入出金ユニット２００の設置面積を小さくすることができる。
【００４２】
なお、本発明は、本実施形態に限ることなく本発明の要旨を逸脱しない範囲で他の実施形態を各種採用することができる。例えば、第１の報知手段と第２の報知手段とを一つの装置である報知装置７００ではなく、別々の独立した装置としても良い。
【符号の説明】
【００４３】
２００…入出金ユニット
３００…硬貨投入口
４００…硬貨選別装置
５００…硬貨入出金装置
５０１…硬貨取出部
６００…紙幣入出金装置
６０２…紙幣取出部
７００…報知装置（第１の報知手段、第２の報知手段）
８００…ベースハウジング（ハウジング）
８００ａ…中央部
【先行技術文献】
【特許文献】
【００４４】
【特許文献１】特開２００６−２３５８１５公報
【図１】
2011054121.tif 000003
【図２】
2011054121.tif 000004
【図３】
2011054121.tif 000005
【図４】
2011054121.tif 000006
【図５】
2011054121.tif 000007